(57)【特許請求の範囲】
【請求項１】
人体を介して他の情報処理装置に情報を伝送する情報処理装置において、
予め記憶されている番号を信号源から出力することで識別情報を発生する発生手段と、
前記人体に接触する第１の接触手段と、
前記発生手段により発生された前記識別情報を、FSK変調し、バンドパスフィルタを介して必要な周波数帯域成分のみを抽出して、前記第１の接触手段を介して送信する送信手段と、
前記人体に接触し、前記発生手段および送信手段を電気的に接地する第２の接触手段と、
前記他の情報処理装置から伝送されてきた情報を受信する受信手段と、
前記人体に接触し、前記他の情報処理装置から伝送されてきた情報を、前記受信手段に供給する第３の接触手段と、
前記人体に装着するためのバンドと
を備えることを特徴とする情報処理装置。
【発明の詳細な説明】
【０００１】
【発明の属する技術分野】
本発明は、情報処理装置に関し、特に、より小型の装置により、人体を介して情報を伝送できるようにした、情報処理装置に関する。
【０００２】
【従来の技術】
本出願人は、例えば、特開平７−１７０２１５号公報に、人体を介してビデオ信号を送信することを、先に提案した。図１は、この先の提案の原理を表している。
【０００３】
すなわち、この例においては、人体１が、送信装置２を一方の手に、受信装置３を他方の手に、それぞれ所持している状態において、送信装置２から送信された信号が、人体１を介して受信装置３に伝送される。
【０００４】
図２は、送信装置２の構成例を表している。信号源２１より出力された信号は、変調器２２により変調された後、増幅器２３により増幅され、電極２４から出力される。電極２４は、人体１に接触される。電池２５は、信号源２１、変調器２２、および増幅器２３に対して必要な電力を供給している。
【０００５】
図３は、受信装置３の構成例を表している。電極３１は、人体１に接触される。送信装置２から人体１を介して伝送されてきた信号は、電極３１から増幅器３２に入力される。増幅器３２は、入力された信号を増幅し、復調器３３に出力する。復調器３３は、入力された信号を復調し、信号処理部３４に出力する。信号処理部３４は、入力された信号を処理する。
【０００６】
電池３５は、増幅器３２、復調器３３、および信号処理部３４に必要な電力を供給している。
【０００７】
このように、従来のシステムにおいては、送信装置２に１個の電極２４を設け、この電極２４から人体１を介して信号を伝送するようにしていた。
【０００８】
【発明が解決しようとする課題】
しかしながら、送信装置２を、例えば、人体１の腕に装着できる程度にまで小型化すると、受信装置３において、実用上充分なレベルの信号を受信することができなくなる課題があった。
【０００９】
その理由は、必ずしも明確ではないが、送信装置２を小型化することにより、アンテナとして機能する信号源２１乃至電極２４に至るまでの伝送経路が短くなり、充分な利得をあげることができなくなることに起因するものと思われる。
【００１０】
本発明はこのような状況に鑑みてなされたものであり、小型化した場合にも、人体を介して、充分なレベルの信号を伝送できるようにするものである。
【００１１】
【課題を解決するための手段】
本発明の情報処理装置は、予め記憶されている番号を信号源から出力することで識別情報を発生する発生手段と、人体に接触する第１の接触手段と、発生手段により発生された識別情報を、FSK変調し、バンドパスフィルタを介して必要な周波数帯域成分のみを抽出して、第１の接触手段を介して送信する送信手段と、人体に接触し、発生手段および送信手段を電気的に接地する第２の接触手段と、他の情報処理装置から伝送されてきた情報を受信する受信手段と、人体に接触し、他の情報処理装置から伝送されてきた情報を、受信手段に供給する第３の接触手段と、人体に装着するためのバンドとを備えることを特徴とする。
【００１５】
本発明の情報処理装置においては、第１の接触手段と第２の接触手段の両方が、人体に接触される。また、他の情報処理装置から伝送されてきた情報を、受信手段に供給する第３の接触手段が人体に接触される。
【００１６】
【発明の実施の形態】
図４は、本発明を適用した情報伝送システムの構成例を表している。この構成例においては、ユーザの腕５１に、通信装置６１が、バンド６２により装着される。通信装置６１の腕５１と接触する面には、送信電極６３と接地電極６４が設けられている。
【００１７】
ユーザは、通信装置６１を装着した腕５１により、PDA（Personal Digital Assistants）７１を所持する。このPDA７１には、受信電極７２が設けられており、ユーザは、通信装置６１を装着した腕５１の指で、この受信電極７２に接触する。
【００１８】
図５は、通信装置６１の上面の構成を表している。同図に示すように、この通信装置６１は、人体の腕に装着することができる程度の大きさ、この例の場合、縦の長さが約８センチ、横の幅が約４センチ、高さが約２センチの小型の形状とされている。受信装置６１の平面のほぼ中央には、信号を伝送するとき点灯されるLED６５が設けられている。
【００１９】
図６は、通信装置６１の底面の構成を表している。同図に示すように、底面には、送信電極６３と接地電極６４が設けられており、ユーザが通信装置６１を腕５１に装着したとき、送信電極６３と接地電極６４が、腕５１に接触するようになされている。
【００２０】
図７は、通信装置６１の内部の構成を表している。信号源８１は、例えばマイクロコンピュータなどにより構成され、PDA７１に出力する信号を発生する。この信号は、例えば、通信装置６１（通信装置６１を装着しているユーザ）を識別するための識別番号とすることができる。信号源８１は、信号を出力するとき、LED６５を点灯させる。
【００２１】
変調器８２は、信号源８１より入力された識別番号を、例えば、FSK（Frequency Shift Keying）方式により変調する。バンドパスフィルタ８１は、変調器８２より出力された信号のうち、伝送すべき周波数帯域の信号成分を抽出し、増幅器８４に出力する。増幅器８４は、入力された信号を増幅し、送信電極６３に出力する。
【００２２】
電池８５は、一端が接地されており、他端から信号源８１、変調器８２、バンドパスフィルタ８３、および増幅器８４に必要な電力を供給している。接地電極６４は、信号源８１、変調器８２、バンドパスフィルタ８３、増幅器８４、および電池８５の接地点と相互に接続されている。
【００２３】
図８は、PDA７１の構成例を表している。増幅器９１は、受信電極７２より入力された信号を増幅し、復調器９２に出力する。復調器９２は、入力されたFSK変調されている信号を復調し、復調結果を信号処理部９３に出力する。信号処理部９３は、例えば、マイクロコンピュータなどにより構成され、復調器９２より入力された信号を処理する。例えば、信号処理部９３は、入力された識別番号が予め設定されている識別番号である場合には、ユーザからの指令に対応した所定の処理を実行する。入力された識別番号が、予め登録されている識別番号に対応しない場合には、信号処理部９３は、ユーザから指令が入力されたとしても、対応する処理を実行しないようにする。これにより、PDA７１は、通信装置６１を装着しているユーザだけが使用可能となる。
【００２４】
電池９４は、増幅器９１、復調器９２、および信号処理部９３に必要な電力を供給している。
【００２５】
次に、その動作について説明する。通信装置６１の信号源８１は、予め記憶されている識別番号を変調器８２に出力する。変調器８２は、信号源８１より入力された識別番号をFSK変調し、バンドパスフィルタ８３に出力する。バンドパスフィルタ８３は、変調器８２より入力された信号から必要な周波数帯域成分のみを抽出し、増幅器８４に出力する。増幅器８４は、入力された信号を増幅し、送信電極６３から出力する。
【００２６】
送信電極６３より出力された信号は、腕５１を介してPDA７１に伝送される。
【００２７】
PDA７１においては、腕５１を介して伝送されてきた信号が、受信電極７２から増幅器９１に供給される。増幅器９１は、入力された信号を増幅し、復調器９２に出力する。復調器９２は、入力されたFSK変調されている信号を復調し、復調して得られた識別番号を信号処理部９３に出力する。
【００２８】
信号処理部９３は、復調器９２より入力された識別番号が、予め登録されている識別番号と一致する場合、ユーザからの指令に対応する各種の処理を実行する。これに対して、復調器９２より入力された識別番号が、予め登録されている識別番号と一致しない場合、信号処理部９３は、ユーザからの入力を受け付けない。これにより、PDA７１は、通信装置６１を装着したユーザのみが利用可能となる。
【００２９】
図９は、信号の伝送経路を模式的に表している。送信電極６３は、PDA７１に近い方に配置され、接地電極６４は、送信電極６３よりPDA７１から遠い側に配置されている。送信電極６３から出力された信号は、腕５１を介して受信電極７２に伝送されるか、あるいは、腕５１を含む人体５２がアンテナとして動作して、受信電極７２に伝送される。
【００３０】
実験の結果、例えば、図１０に示すように、通信装置６１に送信電極６３だけを設け、接地電極６０を設けない場合（この場合、通信装置６１は、図２に示した送信装置２と同様に構成されることになる）、PDA７１において、実用上充分なレベルの信号を受信することができなかった。
【００３１】
しかしながら、上述したように、送信電極６３だけでなく、接地電極６４を設け、その両方の電極を、腕５１に接触させるようにすると、通信装置６１は、上述したように、腕５１に装着できる程度に小型化した場合においても、PDA７１において、実用上充分なレベルで通信装置６１から伝送した信号を受信することが可能であった。
【００３２】
また、通信装置６１に、送信電極６３だけを設け、接地電極６４を設けない場合、図１１に示されるように、送信電極６３が、PDA７１から遠い方に位置するように、通信装置６１を装着すると、図１０に示されるように、送信電極６３を、PDA７１に近い方に位置するように通信装置６１を装着した場合に較べ、PDA７１により受信できる信号レベルは、図１０に示す場合に較べ、さらに低下した。
【００３３】
これに対して、送信電極６３と接地電極６４の両方を設けた場合には、例えば、図１２に示されるように、送信電極６３がPDA７１から遠い側に位置し、接地電極６４がPDA７１に近い方に位置するように通信装置６１を装着した場合においても、実用上充分なレベルの信号をPDA７１で受信することが可能であった。
【００３４】
なお、送信電極６３と接地電極６４は、例えば、図１３に示されるように、信号線Ｌ１，Ｌ２を介して、腕５１に装着するようにしてもよい。
【００３５】
図１３に示されているような構成にした場合において、例えば図１４に示されるように、送信電極６３を腕５１の親指の付け根の近傍に接触させ、接地電極６４を小指の付け根の近傍（接地電極６４−１として示されている位置）、薬指の付け根の近傍（接地電極６４−２として示されている位置）、中指の付け根の近傍（接地電極６４−３として示されている位置）、または人差し指の付け根の近傍（接地電極６４−４として示されている位置）に配置した場合について実験を行った。その結果、接地電極６４を、小指または薬指の付け根の近傍に接触させた場合には、PDA７１において、実用上充分なレベルの信号を受信することが可能であったが、中指または人差し指の付け根の近傍に接地電極６４を配置した場合には、充分なレベルの信号を受信することができなかった。
【００３６】
図１５は、さらに他の構成例を表している。この構成例においては、PDA７１にも、受信電極７２だけでなく、接地電極１０１を設けた場合の例を示している。そして、この場合、ユーザは、通信装置６１を装着している腕５１Ｌの指により、PDA７１の受信電極７２に接触し、他方の腕５１Ｒの指により、接地電極１０１に接触する。
【００３７】
この場合、PDA７１は、図１６に示されるように構成される。その基本的構成は、図８に示した場合と同様であるが、接地電極１０１が設けられている点が、図８に示した場合と異なっている。
【００３８】
PDA７１をこのように構成した場合においても、通信装置６１から伝送した信号をPDA７１により、充分なレベルで受信することが可能であった。
【００３９】
図１７は、さらに他の構成例を表している。この構成例においては、通信装置６１とPDA７１が、双方向で信号を授受することができるようになされている。このため、通信装置６１は、送信電極６３と接地電極６４以外に、受信電極１１１を有している。
【００４０】
また、PDA７１は、受信電極７２と接地電極１０１以外に、送信電極１２１を有している。
【００４１】
図１８は、図１７に示した例の場合における通信装置６１の内部の構成例を表している。この構成例においては、信号源８１乃至電池８５以外に、増幅器１４１、復調器１４２、および信号処理部１４３が設けられている。そして、受信電極１１１より入力された信号が、増幅器１４１に入力されている。これらの増幅器１４１、復調器１４２、および信号処理部１４３の基本的な機能は、図８に示した増幅器９１、復調器９２、および信号処理部９３と同様である。
【００４２】
そして、増幅器１４１、復調器１４２、および信号処理部１４３には、電池８５から必要な電力が供給されている。また、増幅器１４１、復調器１４２、および信号処理部１４３の接地点は、接地電極６４に接続されている。
【００４３】
図１９は、図１７に示した例の場合のPDA７１の構成例を表している。この構成例においては、増幅器９１、復調器９２、信号処理部９３、および電池９４以外に、信号源１６１、変調器１６２、バンドパスフィルタ１６３、および増幅器１６４が設けられている。これらの信号源１６１、変調器１６２、バンドパスフィルタ１６３、および増幅器１６４は、それぞれ、図７に示した通信装置６１の信号源８１、変調器８２、バンドパスフィルタ８３、および増幅器８４と基本的に同様の機能を有するものである。そして、増幅器１６４の出力は、送信電極１２１から出力されるようになされている。
【００４４】
また、信号源１６１、変調器１６２、バンドパスフィルタ１６３、および増幅器１６４には、電池９４から必要な電力が供給されているとともに、それらの接地点は、接地電極１０１に接続されている。
【００４５】
この構成例においては、通信装置６１からPDA７１に信号が伝送される場合の処理は、上述した場合と同様の処理となるが、PDA７１から通信装置６１に信号を伝送することが可能である。この場合、信号源１６１より出力された信号が、変調器１６２によりFSK変調され、バンドパスフィルタ１６３により所定の周波数成分が抽出された後、増幅器１６４で増幅され、送信電極１２１から送信される。この送信信号は、人体５２を介して伝送される。
【００４６】
通信装置６１においては、受信電極１１１により、PDA７１から伝送された信号が受信される。増幅器１４１は、この受信信号を増幅し、復調器１４２に出力する。復調器１４２は、入力された信号をFSK復調し、信号処理部１４３に出力する。信号処理部１４３は、入力された信号を処理する。
【００４７】
このように、この情報伝送システムにおいては、通信装置６１あるいはPDA７１を小型化した場合においても、実用上充分なレベルの信号を、受信側に人体を介して伝送することが可能となる。
【００４８】
なお、以上においては、通信装置６１と通信する情報処理装置をPDAとしたが、パーソナルコンピュータのキーボード、マウス、タブレット、その他の入力デバイスとすることもできる。
【００４９】
【発明の効果】
以上の如く、本発明の情報処理装置によれば、第１の接触手段だけでなく、第２の接触手段を設け、人体に接触させるようにしたので、小型化した場合においても、実用上充分なレベルの信号を、他の情報処理装置に伝送することが可能となる。
【図面の簡単な説明】
【図１】従来の情報伝送システムの構成を示す図である。
【図２】図１の情報伝送システムにおける送信装置の構成を示すブロック図である。
【図３】図１の情報伝送システムにおける受信装置の構成を示すブロック図である。
【図４】本発明を適用した情報伝送システムの使用状態を示す図である。
【図５】図４の情報伝送システムにおける通信装置の平面の構成を示す図である。
【図６】図４の情報伝送システムの通信装置の底面の構成を示す図である。
【図７】図４の情報伝送システムの通信装置の内部の構成を示すブロック図である。
【図８】図４の情報伝送システムにおけるPDAの内部の構成を示すブロック図である。
【図９】図４の情報伝送システムにおける伝送経路を模式的に示す図である。
【図１０】接地電極を設けない場合の例を示す図である。
【図１１】接地電極を設けない場合の例を示す図である。
【図１２】送信電極と接地電極の位置を逆になるように装着した状態を示す図である。
【図１３】図４の情報伝送システムにおける通信装置の他の構成を示す図である。
【図１４】電極の取り付け位置を説明する図である。
【図１５】本発明を適用した情報伝送システムのさらに他の構成を示す図である。
【図１６】図１５の情報伝送システムにおけるPDAの構成を示すブロック図である。
【図１７】本発明を適用した情報伝送システムの他の構成を示す図である。
【図１８】図１７の情報伝送システムにおける通信装置の構成を示すブロック図である。
【図１９】図１７の情報伝送システムにおけるPDAの構成を示すブロック図である。
【符号の説明】
５１  腕，  ６１  通信装置，  ６２  バンド，  ６３  送信電極，  ６４  接地電極，  ７１  PDA，  ７２  受信電極，  ８１  信号源，  ８２  変調器，  ８３  バンドパスフィルタ，  ８４  増幅器，  ８５  電池，  ９１  増幅器，  ９２  復調器，  ９３  信号処理部
【図１】
0004423529.tif 000002
【図２】
0004423529.tif 000003
【図３】
0004423529.tif 000004
【図４】
0004423529.tif 000005
【図５】
0004423529.tif 000006
【図６】
0004423529.tif 000007
【図７】
0004423529.tif 000008
【図８】
0004423529.tif 000009
【図９】
0004423529.tif 000010
【図１０】
0004423529.tif 000011
【図１１】
0004423529.tif 000012
【図１２】
0004423529.tif 000013
【図１３】
0004423529.tif 000014
【図１４】
0004423529.tif 000015
【図１５】
0004423529.tif 000016
【図１６】
0004423529.tif 000017
【図１７】
0004423529.tif 000018
【図１８】
0004423529.tif 000019
【図１９】
0004423529.tif 000020